(57)【要約】【課題】汗をかいたときなどの快適性が良好であり、かつ保温性にも優れた足袋を提供する。【解決手段】甲部と底部からなる足袋において、甲部および／または底部の肌に接する側にポリ塩化ビニル繊維からなる布帛を配する。【選択図】図２
0003129136.tif 000002
【実用新案登録請求の範囲】
【請求項１】
甲部と底部からなる足袋であって、甲部および／または底部の肌に接する側にポリ塩化ビニル繊維からなる布帛が配されていることを特徴とする足袋。
【請求項２】
甲部および／または底部が、外側布帛と内側布帛とを重ね合わせた２層構造からなり、内層布帛がポリ塩化ビニル繊維からなる布帛である請求項１記載の足袋。
【請求項３】
外側布帛が、ポリエステル繊維、綿、または綿混繊維からなる布帛である請求項２記載の足袋。
【請求項４】
甲部および／または底部が、内側にポリ塩化ビニル繊維が配された２重布帛である請求項１記載の足袋。
【請求項５】
外側にポリエステル繊維が配された２重布帛である請求項４記載の足袋。
【請求項６】
ポリ塩化ビニル繊維の単繊維繊度が２．２〜１１ｄｔｅｘ、ポリエステル繊維の単繊維繊度が０．１〜５．５ｄｔｅｘであり、ポリ塩化ビニル繊維の単繊維繊度よりもポリエステル繊維の単繊維繊度の方が小さい請求項２または５記載の足袋。
【請求項７】
ポリ塩化ビニル繊維が起毛されている請求項１〜６のいずれかに記載の足袋。
【考案の詳細な説明】
【技術分野】
【０００１】
本考案は、和装用品の足袋に関し、特に保温性に優れる足袋に関するものである。特に、本考案にかかる足袋は、従来にない保温性、快適性に優れる足袋に関する。
【背景技術】
【０００２】
従来、足袋を構成する素材としては、綿、絹、麻、合成繊維などの布帛が用いられている。そして、これらの素材を適宜、足袋の外側や肌に接する内側に配し縫製し足袋を形成している。足袋の外側に配する布帛として、キャラコと呼ばれる綿布帛や、ナイロン繊維、ポリエステル繊維が用いられ、内側にも同じ素材で形成されている場合もある。
【０００３】
しかしながら、綿などの布帛を内側に用いた場合、汗をかくとムレたりべとついたりして装着感が不快となる問題がある。一方、ポリエステル繊維やナイロン繊維は、綿に比べ乾燥はし易いものの、保温性、着用感の点で十分とはいえない。
【０００４】
これに対して、底布の足押圧部位に体温に加熱されて波長が７〜１４μｍの遠赤外線を放射するセラミック粉末がバインダーで塗布された足袋（特許文献１）や、導電効率を高めるととともに遠赤外線域の電磁波を放射する銅イオンを含有させた高分子繊維で構成された足袋（特許文献２）、足袋甲部の表地と裏地の縫合構造に着目した足袋（特許文献３）などが提案されているが、いずれも未だ十分なものとはとは言えず、さらに保温性の高いものが望まれている。
【０００５】
【特許文献１】実開平１−１０６５０５号公報
【特許文献２】実用新案登録第３０５１６９０号公報
【特許文献３】特開２０００−２８２３０５号公報
【考案の開示】
【考案が解決しようとする課題】
【０００６】
本考案は、こうした背景技術のもと、汗をかいたときなどの快適性が良好であり、かつ保温性にも優れた足袋を提供することを目的とする。
【課題を解決するための手段】
【０００７】
本考案者は上記目的は、本考案の足袋は、甲部と底部からなる足袋であって、甲部および／または底部の肌に接する側にポリ塩化ビニル繊維が露出している１つ以上の布帛からなることを特徴とする足袋によって達成できることを見出した。
【考案の効果】
【０００８】
本考案の足袋によれば、快適性が良好であり、保温性にも優れた足袋を提供することができる。
【考案を実施するための最良の形態】
【０００９】
本考案の足袋は、甲部と底部からなる足袋である。本考案においては、甲部および／または底部の肌に接する側にポリ塩化ビニル繊維からなる布帛が配されていることが肝要であり、これにより、従来の綿やポリエステル繊維からなる布帛を用いた足袋よりも格段に保温性を向上させることができる。しかも、ポリ塩化ビニル繊維は、吸湿性が上記繊維よりも低いため、汗を吸収した後の透湿性や速乾性にも優れ、ムレやべたつきがなく快適な状態を保つことができ、しかも高い保温性や防寒性を維持することができる。
【００１０】
上記のように甲部および／または底部の内側にポリ塩化ビニル繊維が内側に露出している足袋の構成としては、次の２つの形態を好ましく例示することができる。
【００１１】
一つは、上記の甲部および／または底部が、内側布帛と外側布帛とを重ね合わせた２層構造からなり、内側布帛をポリ塩化ビニル繊維からなる布帛とする足袋である。この際、布帛の形態は、織物、編物、不織布などを採用することができるが、特に編物がストレッチに優れ、履き心地が良い点で優れている。また、上記布帛は起毛されていることが保温性や防寒性、汗を吸収し易い点などから好ましい。起毛処理としては、針布起毛、パイル織（編）などの方法を採用することができる。
【００１２】
また、外側布帛は、ポリエステル繊維からなる布帛であることが好ましい。ポリエステル繊維は一般的には疎水性繊維とされるがポリ塩化ビニル繊維と比較すると吸湿性が高く、吸収した汗はポリ塩化ビニル繊維からなる内側布帛からポリエステル繊維からなる外側布帛へと移行し、皮膚と接する内側は常に乾燥し快適性や保温性を維持することができる。さらに、上記布帛はストレッチ性を有していることが、足袋を履くとき足にフィットして皺になり難く、履き心地が良い点で好ましい。かかるストレッチ性を有する布帛としては、編物か、仮撚加工糸からなる織物または編物、ウレタン繊維やポリエステルエラストマー繊維を芯糸としポリエステルや天然繊維を鞘糸とする複合糸からなる織物または編物を採用することができる。
【００１３】
なお、上記観点から、ポリ塩化ビニル繊維の単繊維繊度は好ましくは２．２〜１１ｄｔｅｘ、より好ましくは２．８〜５．５ｄｔｅｘであり、ポリエステル繊維の単繊維繊度は好ましくは０．１〜５．５ｄｔｅｘ、より好ましくは１．１〜３．３ｄｔｅｘであり、また、ポリ塩化ビニル繊維の単繊維繊度よりもポリエステル繊維の単繊維繊度の方が小さいことが好ましい。これにより、汗はポリ塩化ビニル繊維からなる内側布帛からポリエステル繊維からなる外側布帛へ移行し易く、快適性や保温性に優れた足袋とすることができる。
【００１４】
上記の２つの布帛のうちポリ塩化ビニルからなる内層布帛の目付けは好ましくは１５０〜３５０ｇ／ｍ２であり、より好ましくは２００〜３００ｇ／ｍ２である。外層布帛の目付けは好ましくは１１０〜２６０ｇ／ｍ２であり、より好ましくは１４０〜２００ｇ／ｍ２である。
【００１５】
また、もう一つは、上記の布帛は甲部および／または底部の内側にポリ塩化ビニル繊維が配された２重布帛からなる足袋である。上記２重織物としては、特開昭６２−２７６０５１号公報に記載された２重織物の織組織とし、一方の面にポリ塩化ビニル繊維が配され、他方の面には他の繊維が配された２重織物が挙げられる。上記２重織物では、ポリ塩化ビニル繊維が起毛されていることが好ましく、かかる織物は、ポリ塩化ビニル繊維が露出している面を針布法などにより起毛処理することによって製造することができる。
【００１６】
さらに、他の例としては、片面をパイル状にした織物（編物）とするのことも好ましい。
また、この際、２重織物の目付けは、好ましくは１５０〜５００ｇ／ｍ２であり、より好ましくは２００〜４００ｇ／ｍ２である。
【００１７】
上記の２重布帛においては、他の繊維がポリエステル繊維であることが好ましい。これは、２重布帛においても、前述した内側布帛と外側布帛とを重ね合わせた２層構造した場合と同様に、吸収した汗がポリ塩化ビニル繊維からなる内側布帛からポリエステル繊維からなる布帛へと移行し、内側は常に乾燥し、快適性や保温性を発揮することができる。さらに、２重布帛においては、同じ布帛内で上記２層が構成されているため、より汗の吸収が起こり易く、薄くて軽量の足袋を製造することができる。また、本考案の足袋を洗濯し後、直ぐ乾燥させて使用することができる。
【００１８】
一方、本考案の足袋の底部は、ポリ塩化ビニル繊維からなる内側布帛と外側布帛とを重ね合わせた２層構造の布帛とした場合は、外側布帛として杉綾組織の綿織物を用いるのが好ましい。また、上記２層構造の中間層として、ポリエステル繊維からなる織物を介在させ３層構造としてもよい。さらに、底部に上記のポリ塩化ビニル繊維を一方の面に配した２重布帛を用いる場合は、該布帛のこの面と反対側の面に杉綾組織の綿織物を接着または縫い合わせ、外側には該綿織物を配するのが好ましい。
【実施例】
【００１９】
以下、実施例により具体的に本考案を説明する。
【００２０】
［実施例１］
甲部として、２．２〜３．３ｄｔｅｘの混紡されたポリ塩化ビニル繊維（糸）からなる目付が２５０ｇ／ｍ２の綾織物を針布法により起毛しこれを肌に接する内側布帛とし、１６７ｄｔｅｘ／７２ｆｉｌのポリエステル繊維の仮撚加工糸からなる目付が２００ｇ／ｍ２の織物を外側布帛とし、これらの布帛を重ねて縫製した２層構造布帛を用いた。
一方、底部には、２．２〜３．３ｄｔｅｘの混紡されたポリ塩化ビニル繊維（糸）からなる目付が２５０ｇ／ｍ２の綾織物を針布法により起毛しこれを肌に接する内側布帛とし、これを肌に接する内側布帛とし、１０番手の綿紡績糸からなる杉綾組織の目付２８０ｇ／ｍ２の布帛を外側布帛とし、これらの布帛を接着剤で張り合わせた２層構造布帛を用いた。
さらに上記の甲部と底部を縫製して足袋を成形した。この足袋を任意に選んだ１０人の試験者に１０時間着用試験をしたが、全員の試験者が、ムレやべとつきがなく快適性は良好であり、保温性も良好であると評価した。
【００２１】
［実施例２］
底部の内側布帛と外側布帛の中間に、１６７ｄｔｅｘ／７２ｆｉｌのポリエステル繊維（糸）からなる目付が２００ｇ／ｍ２の綾織物の中間布帛を入れ、底部を３層構造布帛とした以外は、実施例１と同様にした。
実施例１と同様にして着用試験をしてもらったが、全員の試験者が、実施例１の足袋と同様にムレやべとつきが少なく快適性は良好であり、保温性もより良好であると評価した。
【００２２】
［実施例３］
底部の肌に接する内側布帛として１６７ｄｔｅｘ／４８ｆｉｌのポリエステル繊維（糸）からなる目付が２４０ｇ／ｍ２の綾織物を起毛したものを用いた以外は、実施例１と同様にした。
実施例１と同様にして着用試験をしてもらったが、全員の試験者が、実施例１に足袋と比較し底部でややムレやべとつきがあり、実施例１の方が接触温冷感も高いと評価した。
【００２３】
［実施例４］
甲部として、２．２〜５．５ｄｔｅｘの混紡されたポリ塩化ビニル繊維（糸）と、１６７ｄｔｅｘ／７２ｆｉｌのポリエステル繊維の仮撚加工糸からなる目付が２５０ｇ／ｍ２の２重織物を成形し、ポリ塩化ビニル繊維（糸）が露出した面を針布法により起毛した布帛を用い、その際、該面を甲部の肌に接する面に配した。これ以外は実施例１と同様にして、足袋を成形した。これにより、実施例１と比較し軽量の足袋が得られた。
実施例１と同様にして着用試験をしてもらったが、全員の試験者が、実施例１に足袋と比較しムレやべとつきが少なく快適性は良好であり、保温性も良好であると評価した。
【００２４】
［比較例１］
甲部として、１６７ｄｔｅｘ／４８ｆｉｌのポリエステル繊維（糸）からなる目付が２００ｇ／ｍ２の綾織物を針布法により起毛しこれを肌に接する内側布帛とし、１６７ｄｔｅｘ／７２ｆｉｌのポリエステル繊維の仮撚加工糸からなる目付が１５０ｇ／ｍ２の織物を外側布帛とし、これらの布帛を重ねて縫製した２層構造布帛を用いた。
一方、底部には、１６７ｄｔｅｘ／４８ｆｉｌのポリエステル繊維（糸）からなる目付が２００ｇ／ｍ２の綾織物を針布法により起毛しこれを肌に接する内側布帛とし、これを肌に接する内側布帛とし、１０番手の綿紡績糸からなる杉綾組織の目付２８０ｇ／ｍ２の布帛を外側布帛とし、これらの布帛を接着剤で張り合わせた２層構造布帛を用いた。さらに上記の甲部と底部を縫製して足袋を成形した。
さらに、実施例１と同様にして着用試験をしたが、全員の試験者が、ムレやべとつきがあり快適性はやや不良であり、保温性はポリ塩化ビニル繊維を用いた実施例１〜４に格段に悪い（不良）と評価した。
【００２５】
［比較例２］
底部の肌に接する内側布帛として２０番手の綿紡績糸からなる目付が１５０ｇ／ｍ２の綾織物を起毛したものを用いた以外は、実施例１と同様にした。
さらに、実施例１と同様にして着用試験をしたが、全員の試験者が、ムレやべとつきが大きく快適性は不良であり、保温性はポリ塩化ビニル繊維を用いた実施例１〜４に格段に悪い（不良）と評価した。
【産業上の利用可能性】
【００２６】
本考案の足袋は、保温性、快適性に優れており、冬場の寒い時期において特にその効果を発揮し、料理店、旅館などの業務用をはじめ、一般用の足袋として極めて有用である。
【図面の簡単な説明】
【００２７】
【図１】図１は、本考案の足袋の構造の一例を示した概念図である。
【図２】図２は、足袋の外観を示した概略モデル図を示したものである。
【符号の説明】
【００２８】
１：甲部外側層
２：甲部中層
３：甲部内側層
４：底部
５：甲部
【図１】
0003129136.tif 000003
【図２】
0003129136.tif 000004